(57)【要約】【課題】所望の期間に亘って記録条件を満たす測定データを記録し得る測定データ記録装置を提供する。【解決手段】測定値（入力信号の電気的パラメータ）が予め設定された下限値を下まわったとの第１の記録条件が設定されている状態において第１の記録条件を満たす測定データの測定部からの出力回数が第１の設定時間内に第１の設定回数を超えたときに（ステップ３０）、予め設定された第１の変更量だけ低い値となるように下限値を変更すると共に（ステップ３１）、測定値が予め設定された上限値を超えたとの第２の記録条件が設定されている状態において第２の記録条件を満たす測定データの測定部からの出力回数が第２の設定時間内に第２の設定回数を超えたときに（ステップ３０）、予め設定された第２の変更量だけ高い値となるように上限値を変更する（ステップ３１）。【選択図】図３
2010096653.tif 000002
【特許請求の範囲】
【請求項１】
入力信号の電気的パラメータを測定して測定データを出力する測定部と、予め設定された記録条件を満たす前記測定データを記録部に記録させる制御部とを備えた測定データ記録装置であって、
前記制御部は、前記電気的パラメータが予め設定された下限値を下まわったとの第１の記録条件が前記記録条件として設定されている状態において当該第１の記録条件を満たす前記測定データの前記測定部からの出力回数が第１の設定時間内に第１の設定回数を超えたときに、予め設定された第１の変更量だけ低い値となるように当該下限値を変更すると共に、前記電気的パラメータが予め設定された上限値を超えたとの第２の記録条件が前記記録条件として設定されている状態において当該第２の記録条件を満たす前記測定データの前記測定部からの出力回数が第２の設定時間内に第２の設定回数を超えたときに、予め設定された第２の変更量だけ高い値となるように当該上限値を変更する測定データ記録装置。
【請求項２】
複数の互いに異なる回数が前記第１の設定回数として設定されると共に複数の互いに異なる変更量が前記第１の変更量として当該各第１の設定回数に対応させてそれぞれ設定され、かつ複数の互いに異なる回数が前記第２の設定回数として設定されると共に複数の互いに異なる変更量が前記第２の変更量として当該各第２の設定回数に対応させてそれぞれ設定されている請求項１記載の測定データ記録装置。
【請求項３】
前記制御部は、前記第１の記録条件が設定されている状態において当該第１の記録条件を満たす前記測定データの前記測定部からの出力回数が第１の設定時間内に前記第１の設定回数よりも少ない回数の第３の設定回数を下まわったときに、前記第１の変更量以下の変更量に予め設定された第３の変更量だけ高い値となるように当該下限値を変更すると共に、前記第２の記録条件が設定されている状態において当該第２の記録条件を満たす前記測定データの前記測定部からの出力回数が第２の設定時間内に前記第２の設定回数よりも少ない回数の第４の設定回数を下まわったときに、前記第２の変更量以下の変更量に予め設定された第４の変更量だけ低い値となるように当該上限値を変更する請求項１または２記載の測定データ記録装置。
【請求項４】
複数の互いに異なる回数が前記第３の設定回数として設定されると共に複数の互いに異なる変更量が前記第３の変更量として当該各第３の設定回数に対応させてそれぞれ設定され、かつ複数の互いに異なる回数が前記第４の設定回数として設定されると共に複数の互いに異なる変更量が前記第４の変更量として当該各第４の設定回数に対応させてそれぞれ設定されている請求項３記載の測定データ記録装置。
【発明の詳細な説明】
【技術分野】
【０００１】
本発明は、記録条件を満たす測定データを記録部に記録させる制御部を備えた測定データ記録装置に関するものである。
【背景技術】
【０００２】
この種の測定データ記録装置として、出願人は、電源監視レコーダを特開２００６−２３８５１１号公報に開示している。この電源監視レコーダは、電源ライン等を監視して、線間電圧、負荷電流および漏れ電流等の実効値を記憶部に記憶させる（レコーディングする）ことができるように構成されている。具体的には、この電源監視レコーダでは、制御部が、上記の各実効値について、その最大値、最小値および平均値を所定周期で記憶部に記憶させる処理と、予め設定されたイベントの発生を検出したときにイベント発生時点の各実効値を含む所定数分の実効値を記憶部に記憶させる処理とを並行して実行する。この場合、上記のイベントとしては、一例として、「線間電圧の実効値が基準電圧を下まわった」との条件が設定される。これにより、例えば、電源ラインが接続されている漏電遮断器が作動して電源ラインに対する電源の供給が停止したときには、線間電圧の実効値が基準電圧を下まわる結果、その時点の各実効値を含む所定数分の実効値が記憶部に記憶される。これにより、記憶された各実効値に基づき、漏電遮断器が作動した原因等を特定することが可能となる。
【特許文献１】特開２００６−２３８５１１号公報（第５−１０頁、第２−３図）
【発明の開示】
【発明が解決しようとする課題】
【０００３】
しかしながら、出願人が開示している電源監視レコーダには、以下のような解決すべき課題がある。すなわち、出願人が開示している電源監視レコーダでは、制御部が予め設定されたイベントの発生を検出したときにイベント発生時点の各実効値を含む所定数分の実効値を記憶部に記憶させる構成が採用されている。この場合、この種の電源監視レコーダの用途としては、上記の例示のような漏電遮断器の作動原因の特定だけでなく、一例として、電源ラインに接続されている負荷の稼働状況に応じてどの程度の電圧降下が生じているかをモニタリングするなどの用途が存在する。具体的には、単相三線式の電源ラインにおける一対の電力線および接地線に電源監視レコーダを接続して電力線および接地線間の線間電圧をモニタリングする際には、一例として、９０Ｖとの値をイベント発生の有無を判別するための閾値として設定する。これにより、線間電圧が９０Ｖを下まわったとき（電圧降下が生じたとき）には、制御部によってイベント発生が検出され、上記のように各実効値が記憶部に記憶される。
【０００４】
ところが、この種の電源監視レコーダの操作に不慣れなオペレータにとっては、上記のようなモニタリングに際して、イベント発生の有無を判別するための上記の閾値をどのような値に設定すべきかの判断が困難となっている。したがって、操作に不慣れなオペレータが、電源ラインの定常時における線間電圧（一例として、１００Ｖ）に近い電圧値（例えば、９５Ｖ）を上記の閾値として設定することがある。このような場合には、設定した閾値を下まわる電圧降下が頻繁に発生することに起因して、イベントの発生毎に各実効値を記憶させている記憶部の記憶可能容量が短期間で不足する状態となり、その後にイベントが発生したときに（電圧降下が生じたときに）、各実効値を記憶部に記憶させることができない状態となってしまう。このため、例えば、１週間に亘って電圧降下の有無および電圧降下の程度をモニタリングしようとしたにも拘わらず、モニタリング開始から数日間で記憶部の記憶可能容量が不足する状態となり、残りの数日間については、電圧降下が生じたとしても、対応する各実効値を記憶させることができなくなることがある。このため、この点を改善するのが好ましい。
【０００５】
本発明は、かかる解決すべき課題に鑑みてなされたものであり、所望の期間に亘って記録条件を満たす測定データを記録し得る測定データ記録装置を提供することを主目的とする。
【課題を解決するための手段】
【０００６】
上記目的を達成すべく、請求項１記載の測定データ記録装置は、入力信号の電気的パラメータを測定して測定データを出力する測定部と、予め設定された記録条件を満たす前記測定データを記録部に記録させる制御部とを備えた測定データ記録装置であって、前記制御部が、前記電気的パラメータが予め設定された下限値を下まわったとの第１の記録条件が前記記録条件として設定されている状態において当該第１の記録条件を満たす前記測定データの前記測定部からの出力回数が第１の設定時間内に第１の設定回数を超えたときに、予め設定された第１の変更量だけ低い値となるように当該下限値を変更すると共に、前記電気的パラメータが予め設定された上限値を超えたとの第２の記録条件が前記記録条件として設定されている状態において当該第２の記録条件を満たす前記測定データの前記測定部からの出力回数が第２の設定時間内に第２の設定回数を超えたときに、予め設定された第２の変更量だけ高い値となるように当該上限値を変更する。
【０００７】
請求項２記載の測定データ記録装置は、請求項１記載の測定データ記録装置において、複数の互いに異なる回数が前記第１の設定回数として設定されると共に複数の互いに異なる変更量が前記第１の変更量として当該各第１の設定回数に対応させてそれぞれ設定され、かつ複数の互いに異なる回数が前記第２の設定回数として設定されると共に複数の互いに異なる変更量が前記第２の変更量として当該各第２の設定回数に対応させてそれぞれ設定されている。
【０００８】
請求項３記載の測定データ記録装置は、請求項１または２記載の測定データ記録装置において、前記制御部が、前記第１の記録条件が設定されている状態において当該第１の記録条件を満たす前記測定データの前記測定部からの出力回数が第１の設定時間内に前記第１の設定回数よりも少ない回数の第３の設定回数を下まわったときに、前記第１の変更量以下の変更量に予め設定された第３の変更量だけ高い値となるように当該下限値を変更すると共に、前記第２の記録条件が設定されている状態において当該第２の記録条件を満たす前記測定データの前記測定部からの出力回数が第２の設定時間内に前記第２の設定回数よりも少ない回数の第４の設定回数を下まわったときに、前記第２の変更量以下の変更量に予め設定された第４の変更量だけ低い値となるように当該上限値を変更する。
【０００９】
請求項４記載の測定データ記録装置は、請求項３記載の測定データ記録装置において、複数の互いに異なる回数が前記第３の設定回数として設定されると共に複数の互いに異なる変更量が前記第３の変更量として当該各第３の設定回数に対応させてそれぞれ設定され、かつ複数の互いに異なる回数が前記第４の設定回数として設定されると共に複数の互いに異なる変更量が前記第４の変更量として当該各第４の設定回数に対応させてそれぞれ設定されている。
【発明の効果】
【００１０】
請求項１記載の測定データ記録装置によれば、電気的パラメータが予め設定された下限値を下まわったとの第１の記録条件が設定されている状態において第１の記録条件を満たす測定データの出力回数が第１の設定時間内に第１の設定回数を超えたときに、予め設定された第１の変更量だけ低い値となるように下限値を変更すると共に、電気的パラメータが予め設定された上限値を超えたとの第２の記録条件が設定されている状態において第２の記録条件を満たす測定データの出力回数が第２の設定時間内に第２の設定回数を超えたときに、予め設定された第２の変更量だけ高い値となるように上限値を変更することにより、操作に不慣れなオペレータが設定を誤って定常時の測定値（電気的パラメータ）と同程度の値を下限値や上限値として設定してしまった場合（記録条件を満たす状態となる頻度が過剰に多い設定を行った場合）であっても、記録部内に必要以上に数多くの測定データが記録されて記録部の記録可能容量が短期間で不足する状態となる事態を回避することができるだけでなく、記録部の記録可能容量と、１つの測定データのデータサイズとに基づいて変更条件（設定時間、設定回数および変更量）を予め設定しておくことで、記録処理の開始時点に設定した下限値よりも低い新たな下限値や、記録処理の開始時点に設定した上限値よりも高い新たな上限値が自動的に設定されるため、測定データを所望の期間に亘って継続して記録し続けることができる。
【００１１】
また、請求項２記載の測定データ記録装置によれば、複数の互いに異なる回数を第１の設定回数として設定すると共に複数の互いに異なる変更量を第１の変更量として各第１の設定回数に対応させてそれぞれ設定し、かつ複数の互いに異なる回数を第２の設定回数として設定すると共に複数の互いに異なる変更量を第２の変更量として各第２の設定回数に対応させてそれぞれ設定したことにより、記録条件の設定が変更される都度、記録部に記録される測定データの数が極端に減少したり、記録部に記録される測定データの数が多数の状態が維持されたりする事態を回避することができる。
【００１２】
さらに、請求項３記載の測定データ記録装置によれば、第１の記録条件が設定されている状態において第１の記録条件を満たす測定データの出力回数が第１の設定時間内に第３の設定回数を下まわったときに、予め設定された第３の変更量だけ高い値となるように下限値を変更すると共に、第２の記録条件が設定されている状態において第２の記録条件を満たす測定データの出力回数が第２の設定時間内に第４の設定回数を下まわったときに、予め設定された第４の変更量だけ低い値となるように上限値を変更することにより、操作に不慣れなオペレータが設定を誤って過剰に低い値を下限値として設定してしまったり、過剰に高い値を上限値として設定してしまったりした場合（記録条件を満たす状態となる頻度が過剰に少ない設定を行った場合）であっても、記録部の記録可能容量と、１つの測定データのデータサイズとに基づいて変更条件（設定時間、設定回数および変更量）を予め設定しておくことで、記録処理の開始時点に設定した下限値よりも高い新たな下限値や、記録処理の開始時点に設定した上限値よりも低い新たな下限値が自動的に設定されるため、十分な量（数）の測定データを所望の期間に亘って継続して記録し続けることができる。
【００１３】
また、請求項４記載の測定データ記録装置によれば、複数の互いに異なる回数を第３の設定回数として設定すると共に複数の互いに異なる変更量を第３の変更量として各第３の設定回数に対応させてそれぞれ設定し、かつ複数の互いに異なる回数を第４の設定回数として設定すると共に複数の互いに異なる変更量を第４の変更量として各第４の設定回数に対応させてそれぞれ設定したことにより、記録条件の設定が変更される都度、記録部に記録される測定データの数が極端に増加したり、記録部に記録される測定データの数が少数の状態が維持されたりする事態を回避することができる。
【発明を実施するための最良の形態】
【００１４】
以下、添付図面を参照して、本発明に係る測定データ記録装置の最良の形態について説明する。
【００１５】
最初に、測定データ記録装置１の構成について説明する。
【００１６】
図１に示す測定データ記録装置１は、本発明に係る測定データ記録装置の一例である電源監視レコーダであって、測定部２、操作部３、表示部４、タイマ５、記憶部６，７、データ記録部８および制御部９を備えている。なお、実際の測定データ記録装置１（電源監視レコーダ）には、複数の電流クランプ（電流センサ）や、複数組の電圧プローブなどが測定部２に接続されているが、本発明についての理解を容易とするために、これらについての図示および詳細な説明を省略する。測定部２は、本発明における測定部の一例であって、電圧入力部および電流入力部（いずれも図示せず）を備え、上記の電流クランプや電圧プローブ等を介して両入力部に入力された入力信号Ｓｉについての電流値や電圧値（本発明における電気的パラメータの一例：以下、これらを総称して「測定値」ともいう）をＡ／Ｄ変換して測定データＤ１を出力する。操作部３は、測定データ記録装置１の動作条件を設定操作するための操作スイッチや、測定データ記録装置１による測定データの記録処理を開始／停止させるための操作スイッチ等の各種操作スイッチが配列され、スイッチ操作に応じた操作信号を制御部９に出力する。
【００１７】
表示部４は、制御部９の制御に従い、後述するように本発明における記録条件を設定するためのイベント設定画面１０（図２参照）や、発生したイベントをリスト表示するイベントリスト表示画面（図示せず）等を表示する。タイマ５は、制御部９の制御に従って計時処理を開始してタイマ信号Ｓｔを制御部９に出力する。記憶部６は、本発明における第１および第２の記録条件や、本発明における第１から第４の設定時間、第１から第４の設定回数、および第１から第４の変更量に相当する各種条件が記録された条件データＤ０、および制御部９の動作プログラムや演算結果などを記憶する。この場合、制御部９の動作プログラムについては、専用の記憶部に記憶させる構成を採用することもできる。また、記憶部７は、制御部９の制御に従い、制御部９から順次出力される測定データＤ２をリングバッファ形式（一例として、ＦＩＦＯ）で記憶する。データ記録部８は、本発明における記録部に相当し、一例として、不揮発性メモリで構成されている。なお、本発明における記録部は、不揮発性メモリに限定されず、揮発性のメモリやハードディスクドライブ等の各種記録メディアを採用することができる。また、本発明における記録部は、測定データ記録装置１に内蔵の記録メディアに限定されず、メモリーカードや光ディスクなどの各種リムーバブルメディアがこれに含まれる。
【００１８】
制御部９は、本発明における制御部の一例であって、測定データ記録装置１を総括的に制御する。具体的には、制御部９は、測定部２を制御して入力信号Ｓｉについての測定処理を実行させて測定データＤ１を出力させると共に、測定データＤ１に基づいて測定データＤ２を生成して記憶部７に記憶させる。また、制御部９は、後述するようにして、図３に示す測定データ記録処理２０を実行して、条件データＤ０によって特定される記録条件を満たす測定データＤ２を記憶部７から読み出してデータ記録部８に記録させる。さらに、制御部９は、後述するように、上記の測定データ記録処理２０において、イベントの発生回数（本発明における「記録条件」を満たす測定データＤ１の測定部２からの出力回数）が設定回数を超えたとき、および設定回数を下まわったときに、イベント発生の有無を判別するための閾値（本発明における「上限値」または「下限値」：上記の条件データＤ０）を予め設定された変更条件に従って変更する。
【００１９】
次に、測定データ記録装置１の使用方法について、添付図面を参照して説明する。
【００２０】
この測定データ記録装置１では、出願人が開示している従来の電源監視レコーダのように記録処理に先立って設定した記録条件（例えば、「線間電圧の実効値が所定の基準電圧を下まわった」との条件）だけに基づいて測定データＤ２をデータ記録部８に記録させる通常記録モードと、イベントの発生回数（記録条件を満たす測定データＤ１の測定部２からの出力回数）に応じて記録条件を自動的に変更し、変更後の記録条件に基づいて測定データＤ２をデータ記録部８に記録させる条件自動変更記録モードとのいずれかの記録モードで測定データＤ２を記録することができるように構成されている。この場合、条件自動変更記録モードで測定データＤ２の記録処理を実行するときには、記録処理の開始に先立ち、記録条件を変更する変更条件を設定する。具体的には、まず、操作部３の操作スイッチを操作して、図２に示すイベント設定画面１０を表示部４に表示させる。このイベント設定画面１０は、一例として、記録モード表示部１１、記録条件表示部１２，１３、ＯＫボタン１４ａおよびキャンセルボタン１４ｂなどで構成されている。
【００２１】
記録モード表示部１１は、測定データ記録装置１が上記の通常記録モードおよび条件自動変更記録モードのいずれの記録モードで動作するように設定されているかを表示する。この場合、同図では、測定データ記録装置１が条件自動変更記録モードで動作するように設定されて記録モード表示部１１に「ＯＮ」と表示されている状態を図示している。記録条件表示部１２は、「電圧実効値上限」との記録条件（「電圧の実効値が設定された電圧値を超えた」との記録条件：本発明における「第２の記録条件」の一例）についての設定事項を表示する。この場合、同図では、電圧実効値の上限値として「１１０．０００Ｖ」との電圧値が設定されると共に、この記録条件に基づく記録処理を実行しないように設定されて「ＯＦＦ」と表示されている状態を図示している。記録条件表示部１３は、「電圧実効値下限」との記録条件（「電圧の実効値が設定された電圧値を下まわった」との記録条件：本発明における「第１の記録条件」の一例）についての設定事項を表示する。この場合、同図では、電圧実効値の下限値として「０９０．０００Ｖ」との電圧値が設定されると共に、この記録条件に基づく記録処理を実行するように設定されて「ＯＮ」と表示されている状態を図示している。
【００２２】
また、記録条件表示部１２の下には、記録条件表示部１２に表示されている記録条件を変更する条件を表示する変更条件表示部１２ａが表示され、記録条件表示部１３の下には、記録条件表示部１３に表示されている記録条件を変更する条件を表示する変更条件表示部１３ａが表示されている。具体的には、変更条件表示部１２ａ，１３ａは、対応する記録条件を満たす測定データＤ１の測定部２からの出力回数（イベント数）をカウントする時間についての設定を表示する領域（同図において最上段の領域）、対応する記録条件の設定値を変更するイベント数の上限値についての設定を表示する領域（同図において上から２番目の領域）、イベント数が上記の上限値を超えたときに対応する記録条件の設定値を変更する変更ステップについての設定を表示する領域（同図において上から３番目の領域）、対応する記録条件の設定値を変更するイベント数の下限値についての設定を表示する領域（同図において上から４番目の領域）、およびイベント数が上記の下限値を下まわったときに対応する記録条件の設定値を変更する変更ステップについての設定を表示する領域（同図において最下段の領域）の５つの表示領域で構成されている。
【００２３】
この場合、同図の変更条件表示部１２ａは、「設定された上限値を超える測定データＤ１が出力された」とのイベントの発生回数が「６０秒（本発明における「第２の設定時間」の一例）」の間に「１００回（本発明における「第２の設定回数」の一例）」を超えて発生したときに、電圧実効値の上限値に関する設定を「５．０００Ｖ（本発明における「第２の変更量」の一例）」だけ高い値に設定すると共に、上記のイベントの発生回数が「６０秒」の間に「１０回（本発明における「第４の設定回数」の一例）」を下まわったときに、電圧実効値の上限値に関する設定を「３．０００Ｖ（本発明における「第４の変更量」の一例）」だけ低い値に設定するとの変更条件が設定されている状態を図示している。また、同図の変更条件表示部１３ａは、「設定された下限値を下まわる測定データＤ１が出力された」とのイベントの発生回数が「６０秒（本発明における「第１の設定時間」の一例）」の間に「１００回（本発明における「第１の設定回数」の一例）」を超えて発生したときに、電圧実効値の下限値に関する設定を「５．０００Ｖ（本発明における「第１の変更量」の一例）」だけ低い値に設定すると共に、上記のイベントの発生回数が「６０秒」の間に「１０回（本発明における「第３の設定回数」の一例）」を下まわったときに、電圧実効値の下限値に関する設定を「３．０００Ｖ（本発明における「第３の変更量」の一例）」だけ高い値に設定するとの変更条件が設定されている状態を図示している。
【００２４】
次いで、操作部３の操作スイッチを操作して、記録条件表示部１２，１３および変更条件表示部１２ａ，１３ａの各設定値を所望の設定値に変更した後に、ＯＫボタン１４ａを操作する。この場合、本発明における下限値、上限値、各設定時間、各設定回数および各変更量（上記の記録条件表示部１２，１３や変更条件表示部１２ａ，１３ａに表示されている設定値）については、任意に設定することができるが、一例として、図２に示す設定値のままＯＫボタン１４ａが操作されたものとする。この際に、制御部９は、イベント設定画面１０に表示させている各設定値に基づいて条件データＤ０を生成し、生成した条件データＤ０を記憶部６に記憶させる。続いて、図示しない設定画面を表示部４に表示させた状態において、一例として、記録処理を継続する時間についての設定を行う。この際には、一例として、記録開始のスイッチ操作が行われてから７日間に亘って記録処理を継続して実行するように設定する。これにより、測定データ記録装置１による測定データＤ２の記録処理に関する設定作業が完了する。
【００２５】
なお、実際の測定データ記録装置１では、記録条件表示部１２，１３に表示されている両記録条件の他にも各種の記録条件を設定して測定データＤ２を記録させることができるように構成されているが、本発明についての理解を容易とするために、上記の２つの記録条件について説明し、他の記録条件に関する設定方法や測定データＤ２の記録処理に関する説明を省略する。また、本発明についての理解を容易とするために、上記の設定作業時において、イベント設定画面１０の記録条件表示部１２に表示されている記録条件に基づく記録処理を実行せずに、記録条件表示部１３に表示されている記録条件に基づく記録処理だけを実行するように設定した例について説明したが、設定作業時に、例えば、記録条件表示部１２，１３の双方を実行するように設定することで、以下に説明する記録処理時において、両記録条件のいずれかを満たすときに測定データＤ２を記録させることもできる。
【００２６】
一方、操作部３に対するスイッチ操作によって記録処理の開始を指示されたときには、制御部９は、図３に示す測定データ記録処理２０を開始する。この測定データ記録処理２０では、制御部９は、まず、測定部２を制御して入力信号Ｓｉについての測定処理（測定データＤ１の生成および出力）を開始させると共に、タイマ５を制御して計時を開始させる（ステップ２１）。これに応じて、測定部２は、入力信号Ｓｉについての電気的パラメータ（この例では、線間電圧）を測定して（所定のサンプリング周期でサンプリングして）測定データＤ１を生成し、生成した測定データＤ１を制御部９に順次出力する。また、タイマ５は、タイマ信号Ｓｔを一定周期で制御部９に出力する。一方、制御部９は、タイマ５からのタイマ信号Ｓｔに基づいて、イベント設定画面１０を終了する条件（処理終了条件：この例では、「開始から７日間が経過した」との条件）を満たしていないと判別し（ステップ２２）、測定部２から出力された測定データＤ１に基づいて測定部２による測定処理の測定値（この例では、電圧値）を取得すると共に（ステップ２３）、取得した測定値を測定データＤ２として記憶部７に順次記憶させる。
【００２７】
次いで、制御部９は、取得した測定値（電圧値）が記憶部６に記憶されている条件データＤ０の記録条件を満たしているか否かを判別する（ステップ２４）。この際に、取得した測定値（電圧値）が「１００Ｖ」のときには、制御部９は、記録条件を満たしていないと判別し、この時点においては、処理終了条件が満たされていないため（ステップ２２）、測定部２から出力された次の測定データＤ１に基づいて測定値（電圧値）を取得して（ステップ２３）、取得した測定値を測定データＤ２として記憶部７に記憶させる。以後、制御部９は、処理終了条件を満たしたか否かの判別（ステップ２２）、測定データＤ１に基づく測定値（電圧値）の取得（ステップ２３）、および取得した測定値（電圧値）が記録条件を満たしているか否かの判別（ステップ２４）を繰り返して実行する。また、例えば「８９Ｖ」との測定値（電圧値）を取得したときには、制御部９は、記録条件（「９０Ｖを下まわる」との記録条件）を満たしたと判別し（ステップ２４）、その測定値に対応する測定データＤ２を記憶部７から読み出してデータ記録部８に記録させる（ステップ２５）。この際に、制御部９は、記録条件を満たした測定値の測定データＤ２だけでなく、記録条件を満たした測定値の測定データＤ２よりも先に記憶部７に記憶させている所定時間分の測定データＤ２（所定数の測定データＤ２）を記憶部７から読み出してデータ記録部８に記録させる。
【００２８】
続いて、制御部９は、設定値を下まわる電圧降下が生じた旨をその発生時刻と共に報知する表示を図示しないイベントリストに追記して表示部４に表示させると共に（ステップ２６）、タイマ５からのタイマ信号Ｓｔに基づき、イベント数をカウントする時間（設定時間：この例では、６０秒）が経過したか否かを判別する（ステップ２７）。この際に、タイマ５による計時の開始時点、または、以下に説明するカウンタのリセット実行時点から設定時間（６０秒）が経過しているときには、制御部９は、後述するようにイベント数をカウントするカウンタの値をリセットする（ステップ２８）。一方、タイマ５による計時の開始時点、または、カウンタのリセット実行時点から設定時間（６０秒）が経過していないときには（ステップ２７）、制御部９は、イベント数（この例では、「設定値を下まわる電圧値の測定データＤ１が出力された」との条件が満たされた回数）のカウントを１つカウントアップする（ステップ２９）。次いで、制御部９は、カウンタの値（イベント数のカウント値）が設定範囲内か否かを判別する（ステップ３０）。
【００２９】
具体的には、この例では、前述したように、測定データ記録処理２０の開始に先立って、「９０Ｖを下まわる測定データＤ１が出力された」とのイベントの発生回数が「６０秒」の間に「１００回」を超えて発生したときに、電圧実効値の下限値に関する設定を「５Ｖ」だけ低い値に設定すると共に、上記のイベントの発生回数が「６０秒」の間に「１０回」を下まわったときに、電圧実効値の下限値に関する設定を「３Ｖ」だけ高い値に設定するとの条件が設定されて条件データＤ０として記憶部６に記憶されている。したがって、制御部９は、６０秒の間に発生したイベント数が１０回以上１００回以下の範囲内（設定範囲内）のときには（ステップ３０）、記録条件を変更することなく、測定データ記録処理２０の終了条件が満たされたか否かの判別（ステップ２２）に戻り、測定値（電圧値）を取得して測定データＤ２として記憶部７に記憶させる処理（ステップ２３）、および測定値（電圧値）が記録条件を満たしているか否かの判別処理（ステップ２４）等を実行する。
【００３０】
一方、９０Ｖを下まわる電圧降下が頻繁に発生して例えば８９Ｖ程度の測定値の測定データＤ１が測定部２から頻繁に出力され、これに起因して、イベント数のカウント値が６０秒間当り１００回を超えたときには（ステップ３０）、制御部９は、条件データＤ０として記憶部６に記憶されている変更条件に従って、記録条件を変更する（ステップ３１）。具体的には、例えば、６０秒間当りのイベント数（９０Ｖを下まわる電圧降下の発生数）が２００回であったときには、制御部９は、記録条件の設定値（この例では下限値）を変更するイベント数の上限値を超えたと判別し（ステップ３０）、その時点において設定されている設定値（下限値：この例では、「９０Ｖ」）を予め設定されている変更量だけ低い値（この例では、「５Ｖ」）だけ低い「８５Ｖ」）に変更して（ステップ３１）、変更後の設定値を条件データＤ０として記憶部６に記憶させる。
【００３１】
この後、制御部９は、測定データ記録処理２０の終了条件が満たされたか否かの判別（ステップ２２）に戻り、測定値（電圧値）を取得して測定データＤ２として記憶部７に記憶させる処理（ステップ２３）、および測定値（電圧値）が記録条件を満たしているか否かの判別処理（ステップ２４）を実行する。この際に、記録条件を変更した後の処理においては、８５Ｖを下まわる測定データＤ１が出力されたときに、対応する測定データＤ２がデータ記録部８に記録されることとなる。したがって、電圧降下が頻繁に発生して８９Ｖ程度の測定値の測定データＤ１が測定部２から頻繁に出力されとしても、データ記録部８内にこれらの測定データＤ１に対応する測定データＤ２が次々と記録されることがないため、データ記録部８の記録可能容量が短時間で過剰に減少する事態が回避される。
【００３２】
また、例えば９１Ｖ程度の測定値の測定データＤ１が測定部２から頻繁に出力されていたとしても、９０Ｖを下まわる電圧降下が殆ど発生しないときには、イベント数のカウント値が少数となる。この際に、イベント数のカウント値が６０秒間当り１０回を下まわったときには（ステップ３０）、制御部９は、条件データＤ０として記憶部６に記憶されている変更条件に従って、記録条件を変更する（ステップ３１）。具体的には、例えば、６０秒間当りのイベント数（９０Ｖを下まわる電圧降下の発生数）が５回であったときには、制御部９は、記録条件の設定値（この例では下限値）を変更するイベント数の下限値を下まわったと判別し（ステップ３０）、その時点において設定されている設定値（下限値：この例では、「９０Ｖ」）を予め設定されている変更量だけ高い値（この例では、「３Ｖ」だけ高い「９３Ｖ」）に変更して（ステップ３１）、変更後の設定値を条件データＤ０として記憶部６に記憶させる。
【００３３】
この後、制御部９は、測定データ記録処理２０の終了条件が満たされたか否かの判別（ステップ２２）に戻り、測定値（電圧値）を取得して測定データＤ２として記憶部７に記憶させる処理（ステップ２３）、および測定値（電圧値）が記録条件を満たしているか否かの判別処理（ステップ２４）を実行する。この際に、記録条件を変更した後の処理においては、９３Ｖを下まわる測定データＤ１が出力されたときに、対応する測定データＤ２がデータ記録部８に記録されることとなる。したがって、９１Ｖ程度までの電圧降下が頻繁に発生している状態において、対応する測定データＤ２が記録されることなく破棄される（記憶部７において新たに記録される測定データＤ２が上書きされる）事態が回避される。この後、制御部９は、処理終了条件を満たしたときに（この例では、開始から７日間が経過した時点：ステップ２２）、この測定データ記録処理２０を終了する。
【００３４】
なお、上記の例では、イベント設定画面１０において記録条件表示部１３に表示されている記録条件に基づく記録処理だけを実行しているが、この測定データ記録装置１では、前述したように、記録条件表示部１３に表示されている記録条件だけでなく、記録条件表示部１２に表示されている記録条件に基づく記録処理を並行して実行したり、記録条件表示部１２表示されている記録条件に基づく記録処理だけを実行したりすることができる。この場合、この測定データ記録装置１では、複数の記録条件（この例では、記録条件表示部１２，１３に表示されている２つの記録条件）に基づいて測定データＤ２を記録する記録処理を並行して実行するように設定した状態においては、上記の測定データ記録処理２０におけるステップ２２以降の各処理が、設定された記録条件毎に並行して実行される。したがって、２つ記録条件について個別的にイベント数がカウントされ、変更条件を満たすイベント数が発生したと判別されたときには（ステップ３０）、その記録条件についての設定値が予め規定された条件に従って変更される（ステップ３１）。この際に、記録条件表示部１２に表示されている記録条件については、変更条件表示部１２ａに表示されている変更条件に従って設定値（この例では、上限値）が変更される。
【００３５】
このように、この測定データ記録装置１では、「測定部２の測定値（この例では、電圧）が予め設定された下限値（一例として、９０Ｖ）を下まわった」との第１の記録条件が設定されている状態において第１の記録条件を満たす測定データＤ１の測定部２からの出力回数（上記記録条件のイベントの発生回数）が第１の設定時間（この例では、６０秒）内に第１の設定回数（この例では、１００回）を超えたときに、予め設定された第１の変更量（この例では、５Ｖ）だけ低い値となるように下限値を変更すると共に、「測定部２の測定値（この例では、電圧）が予め設定された上限値（一例として、１１０Ｖ）を超えた」との第２の記録条件が設定されている状態において第２の記録条件を満たす測定データＤ１の測定部２からの出力回数（上記記録条件のイベントの発生回数）が第２の設定時間（この例では、６０秒）内に第２の設定回数（この例では、１００回）を超えたときに、予め設定された第２の変更量（この例では、５Ｖ）だけ高い値となるように上限値を変更する。
【００３６】
したがって、この測定データ記録装置１によれば、操作に不慣れなオペレータが設定を誤って定常時の電圧値と同程度の電圧値を下限値や上限値として設定してしまった場合（記録条件を満たす状態となる頻度が過剰に多い設定を行った場合）であっても、データ記録部８内に必要以上に数多くの測定データＤ２が記録されてデータ記録部８の記録可能容量が短期間で不足する状態となる事態を回避することができるだけでなく、データ記録部８の記録可能容量と、１つの測定データＤ２のデータサイズとに基づいて変更条件（設定時間、設定回数および変更量）を予め設定しておくことで、記録処理の開始時点に設定した下限値よりも低い新たな下限値や、記録処理の開始時点に設定した上限値よりも高い新たな上限値が自動的に設定されるため、測定データＤ２を所望の期間に亘って継続して記録し続けることができる。
【００３７】
また、この測定データ記録装置１では、上記の第１の記録条件が設定されている状態において第１の記録条件を満たす測定データＤ１の測定部２からの出力回数（イベントの発生回数）が第１の設定時間（この例では、６０秒）内に第３の設定回数（この例では、１０回）を下まわったときに、予め設定された第３の変更量（この例では、３Ｖ）だけ高い値となるように下限値を変更すると共に、上記の第２の記録条件が設定されている状態において第２の記録条件を満たす測定データＤ１の測定部２からの出力回数（イベントの発生回数）が第２の設定時間（この例では、６０秒）内に第４の設定回数（この例では、１０回）を下まわったときに、予め設定された第４の変更量（この例では、３Ｖ）だけ低い値となるように上限値を変更する。
【００３８】
したがって、この測定データ記録装置１によれば、操作に不慣れなオペレータが設定を誤って過剰に低い電圧値を下限値として設定してしまったり、過剰に高い電圧値を上限値として設定してしまったりした場合（記録条件を満たす状態となる頻度が過剰に少ない設定を行った場合）であっても、データ記録部８の記録可能容量と、１つの測定データＤ２のデータサイズとに基づいて変更条件（設定時間、設定回数および変更量）を予め設定しておくことで、記録処理の開始時点に設定した下限値よりも高い新たな下限値や、記録処理の開始時点に設定した上限値よりも低い新たな下限値が自動的に設定されるため、十分な量（数）の測定データＤ２を所望の期間に亘って継続して記録し続けることができる。
【００３９】
なお、本発明は、上記の構成に限定されない。例えば、本発明における第１の記録条件が設定されている状態において、第１の記録条件を満たす測定データＤ１の出力回数（イベント数）が第１の設定時間内に第１の設定回数を超えたときに第１の変更量だけ低い値となるように下限値を変更すると共に、第１の記録条件を満たす測定データＤ１の出力回数が第１の設定時間内に第３の設定回数を下まわったときに第３の変更量だけ高い値となるように下限値を変更する例について説明したが、本発明に係る測定データ記録装置の構成はこれに限定されない。具体定には、第１の記録条件を満たす測定データＤ１の出力回数が第１の設定時間内に第１の設定回数を超えたときに第１の変更量だけ低い値となるように下限値を変更するだけで、第３の変更量だけ高い値となるように下限値を変更する処理については実行しない構成や、第２の記録条件を満たす測定データＤ１の出力回数が第２の設定時間内に第２の設定回数を超えたときに第２の変更量だけ高い値となるように上限値を変更するだけで、第４の変更量だけ低い値となるように上限値を変更する処理については実行しない構成を採用することもできる。
【００４０】
このような構成を採用した場合においても、上記の測定データ記録装置１と同様にして、操作に不慣れなオペレータが設定を誤って定常時の電圧値と同程度の電圧値を下限値や上限値として設定してしまった場合（記録条件を満たす状態となる頻度が過剰に多い設定を行った場合）であっても、データ記録部８内に必要以上に数多くの測定データＤ２が記録されてデータ記録部８の記録可能容量が短期間で不足する状態となる事態を回避することができるだけでなく、データ記録部８の記録可能容量と、１つの測定データＤ２のデータサイズとに基づいて変更条件（設定時間、設定回数および変更量）を予め設定しておくことで、記録処理の開始時点に設定した下限値よりも低い新たな下限値や、記録処理の開始時点に設定した上限値よりも高い新たな上限値が自動的に設定されるため、測定データＤ２を所望の期間に亘って継続して記録し続けることができる。
【００４１】
また、本発明における「設定回数」や「変更量」を段階的に設定し、イベントの発生状況に応じて、異なる変更量で設定値を変更する構成を採用することもできる。具体的には、一例として、「設定された下限値（９０Ｖ）を下まわる測定データＤ１が出力された」との記録条件が設定されている状態において、そのような記録条件を満たすイベントの発生回数が「６０秒」の間に「３００回（本発明における「互いに異なる回数の第１の設定回数」の一例）」を超えて発生したときに、電圧実効値の下限値に関する設定を「６Ｖ（本発明における「互いに異なる変更量の第１の変更量」の一例）」だけ低い値に設定すると共に、イベントの発生回数が「６０秒」の間に「１５０回（本発明における「互いに異なる回数の第１の設定回数」の他の一例）」を超えて発生したときに、電圧実効値の下限値に関する設定を「３Ｖ（本発明における「互いに異なる変更量の第１の変更量」の他の一例）」だけ低い値に設定するとの処理を実行する構成を採用することができる。
【００４２】
同様にして、例えば、「設定された上限値（１１０Ｖ）を超える測定データＤ１が出力された」との記録条件が設定されている状態において、そのような記録条件を満たすイベントの発生回数が「６０秒」の間に「３００回（本発明における「互いに異なる回数の第２の設定回数」の一例）」を超えて発生したときに、電圧実効値の上限値に関する設定を「６Ｖ（本発明における「互いに異なる変更量の第２の変更量」の一例）」だけ高い値に設定すると共に、イベントの発生回数が「６０秒」の間に「１５０回（本発明における「互いに異なる回数の第２の設定回数」の他の一例）」を超えて発生したときに、電圧実効値の上限値に関する設定を「３Ｖ（本発明における「互いに異なる変更量の第２の変更量」の他の一例）」だけ高い値に設定するとの処理を実行する構成を採用することができる。このように、イベントの発生状況に応じて、異なる変更量で設定値を変更する構成を採用することにより、記録条件の設定が変更される都度、データ記録部８に記録される測定データＤ２の数が極端に減少したり、データ記録部８に記録される測定データＤ２の数が多数の状態が維持されたりする事態を回避することができる。
【００４３】
また、上記のイベントの発生回数が「６０秒」の間に「１５回（本発明における「互いに異なる回数の第３の設定回数」の一例）」を下まわったときに、電圧実効値の下限値に関する設定を「２Ｖ（本発明における「互いに異なる変更量の第３の変更量」の一例）」だけ高い値に設定すると共に、イベントの発生回数が「６０秒」の間に「５回（本発明における「互いに異なる回数の第３の設定回数」の他の一例）」を下まわったときに、電圧実効値の下限値に関する設定を「４Ｖ（本発明における「互いに異なる変更量の第３の変更量」の他の一例）」だけ高い値に設定するとの処理を実行する構成を採用することができる。同様にして、上記のイベントの発生回数が「６０秒」の間に「１５回（本発明における「互いに異なる回数の第４の設定回数」の一例）」を下まわったときに、電圧実効値の上限値に関する設定を「２Ｖ（本発明における「互いに異なる変更量の第４の変更量」の一例）」だけ低い値に設定すると共に、イベントの発生回数が「６０秒」の間に「５回（本発明における「互いに異なる回数の第４の設定回数」の他の一例）」を下まわったときに、電圧実効値の上限値に関する設定を「４Ｖ（本発明における「互いに異なる変更量の第４の変更量」の他の一例）」だけ低い値に設定するとの処理を実行する構成を採用することができる。このように、イベントの発生状況に応じて、異なる変更量で設定値を変更する構成を採用することにより、記録条件の設定が変更される都度、データ記録部８に記録される測定データＤ２の数が極端に増加したり、データ記録部８に記録される測定データＤ２の数が少数の状態が維持されたりする事態を回避することができる。
【図面の簡単な説明】
【００４４】
【図１】測定データ記録装置１のブロック図である。
【図２】イベント設定画面１０の表示画面図である。
【図３】測定データ記録処理２０のフローチャートである。
【符号の説明】
【００４５】
１  測定データ記録装置
２  測定部
５  タイマ
６，７  記憶部
８  データ記録部
９  制御部
１０  イベント設定画面
１１  記録モード表示部
１２，１３  記録条件表示部
１２ａ，１３ａ  変更条件表示部
２０  測定データ記録処理
Ｄ０  条件データ
Ｄ１，Ｄ２  測定データ
Ｓｉ  入力信号
Ｓｔ  タイマ信号
【図１】
2010096653.tif 000003
【図２】
2010096653.tif 000004
【図３】
2010096653.tif 000005